(57)【要約】【課題】  従来のファイルのポケットに紙葉類が保持されている場合、当該紙葉類に文字・記号や図を書き加えるには、ポケットから紙葉類を取り出すことを要するが、本発明のファイルは、紙葉類がファイルに保持された状態であっても、当該紙葉類はその一部の箇所を除き外部に露出しているので、当該紙葉類をファイルから取り出すことなくそれに文字・記号や図を書き加えることが可能である。【解決手段】  本発明のファイルは、表紙体とこれに取り付けられて被保持物をファイルに保持するための保持シート体とからなるファイルであって、前記表紙体は、前記保持シート体を取り付けるための固定部を有し、前記保持シート体は、シート状に形成されたベースシートと、当該ベースシートの対向する２端辺にそれぞれ取り付けられ、前記紙葉類を前記ベースシートに対して押えるための押え部と、前記表紙体に固定されて成る被固定部と、を有する。【選択図】図１
2019188620.tif 000002
【特許請求の範囲】
【請求項１】
表紙体とこれに取り付けられて被保持物をファイルに保持するための保持シート体とからなるファイルであって、
前記表紙体は、前記保持シート体を取り付けるための固定部を有し、
前記保持シート体は、シート状に形成されたベースシートと、当該ベースシートの対向する２端辺にそれぞれ取り付けられ、前記紙葉類を前記ベースシートに対して押えるための押え部と、前記表紙体に固定されて成る被固定部と、
を有するファイル。
【請求項２】
前記押え部は、一端に前記ベースシートに取り付けられた長尺状の第一取付部を有し、当該一端と対向する位置にある他端が板材に取り付けられない自由端を形成する、請求項１に記載のファイル。
【請求項３】
前記押え部は、第一取付部が配された方向と直交する方向にある別の一端に、前記ベースシートに取り付けられた長尺状の第二取付部を有している、請求項１または請求項２に記載のファイル。
【請求項４】
前記保持シート体は、前記２端辺に取り付けられたそれぞれの押え部を結ぶ方向と直交する方向に併設されており、それぞれが前記表紙体に固定されている、請求項１乃至請求項３のいずれかに記載のファイル。
【発明の詳細な説明】
【技術分野】
【０００１】
本発明は、シート状の被保持物をその上下端近傍を押えることで保持するファイルに関する。
【背景技術】
【０００２】
従来のポケットが表紙に固定されたファイルは、例えば特開平５−１７７９７０号や特開２００４−２１６５９５号に開示されるように、薄肉状に形成された合成樹脂製のシートにより一辺に開口部を有する四角形の袋体が形成され、当該袋体が合成樹脂製の表紙に対して熱溶着や超音波溶着により固定されている。
【先行技術文献】
【特許文献】
【０００３】
【特許文献１】特開平５−１７７９７０号公報
【特許文献２】特開２００４−２１６５９５号公報
【発明の概要】
【発明が解決しようとする課題】
【０００４】
このようなファイルのポケットは、四角形の一辺が開口部を形成し他辺が閉部を形成する袋体からなり、表紙と袋体とが当該袋体の開口部を形成する辺の略中央からその辺と直交する方向に連続して溶着されて、溶着された箇所を介して隣接する２のポケットが形成される。
【０００５】
特許文献１に記載の発明は、開口部側端からこれと対向する底側端に至るポケットの略全長に亘って溶着されて隣接する２のポケットの境界線が形成されており、このポケットに収納する書類などの被保持物の幅とポケットの幅（境界線とこれと対向する位置にある閉部との距離）とが近いと、開口部から被保持物を入れしようとした場合、被保持物をポケットの底側端に向けて押し込むに際してその移動は開口部側端から底側端に向けた略直線方向にしか許容されないため、当該行為を実行しようとする者（利用者）に正確な動作が求められ作業性が悪く、特に被保持物が紙葉類等のように柔らかいものであれば、正確に動作しないと被保持物が折れ曲がってしまうことがある。
【０００６】
この課題を解決すべく、特許文献２に記載の発明は、ポケットを表紙に固定するにあたり開口部近傍を溶着しない、すなわち開口部近傍で隣接する２のポケットの間に閉じられない箇所を設けている。これにより、例えば第１のポケットの開口部の境界線近傍の箇所が第１のポケットと隣り合う第２のポケットの開口部を兼ねるようにできるため、開口部がポケットの幅よりもやや大きいものとして扱うことができることから、ポケットの幅に近い幅を有する被保持物をポケットの底側端に向けて押し込みを開始した直後の時点では、開口部側端から底側端に向けた略直線方向以外の方向への移動が幾らか許容されるため、特許文献１に記載の発明と比べると作業性がやや向上している。しかし、当該押し込みが開始直後を過ぎると、当該被保持物の移動は開口部側端から底側端に向けた略直線方向にしか許容されないことになり、依然として作業性の悪さは残存する。
【０００７】
また、これらのファイルは、例えば、被保持物である紙葉類が楽譜であり当該楽譜を一枚ずつ挿入して楽譜入れとして使用することの他、被保持物である紙葉類が文書として用いられ、セミナー用文書入れや講義録入れなどとして使用されるのであれば、単に楽譜や文書を保管することよりも、楽譜や文書が挿入されたままの状態で当該楽譜や文書に文字・記号や図を書き加えることが可能であることが求められる。
【０００８】
しかし、従来のファイルのポケットに被保持物が保持された状態で当該被保持物に文字・記号や図を書き加える場合は、ポケットにある被保持物を取り出して文字・記号や図を書き加えてから、当該被保持物をポケットに挿入して保持し直すことを要する煩わしさがあることに加え、ポケットが、表面につや消し加工やシボ加工がされた透明な合成樹脂材により形成されるのであれば、ポケットに保持された被保持物はポケットの外からは曇ったかのように視認されて被保持物に記載された内容が見えづらく、また、表面につや消し加工やシボ加工がされておらずツヤがある透明な合成樹脂材により形成されるのであれば、ポケットの外から受ける光の反射が強いときに、その反射光のため、ポケットに保持された被保持物に記載された内容がポケットの外から見えづらいという問題がある。
【０００９】
本発明は、被保持物を保持しやすく、さらに、被保持物をファイルに保持したままの状態でも、当該被保持物に文字・記号や図を書き加えることが可能なうえ、被保持物に記載された内容を視認しやすいファイルを提供するものである。
【課題を解決するための手段】
【００１０】
本発明のファイルは、表紙体とこれに取り付けられて被保持物をファイルに保持するための保持シート体とからなるファイルであって、前記表紙体は、前記保持シート体を取り付けるための固定部を有し、前記保持シート体は、シート状に形成されたベースシートと、当該ベースシートの対向する２端辺にそれぞれ取り付けられ、前記紙葉類を前記ベースシートに対して押えるための押え部と、前記表紙体に固定されて成る被固定部と、を有する。
【００１１】
このように、押え部は、ベースシートの２端辺にそれぞれ取り付けられており、一の押え部の他の抑え部に向かう方向の一端から他端までの距離が当該他の抑え部にまで届かない程度のものであるなら、２端辺に取り付けられたそれぞれのの間には隙間が生ずることになり、これにより、保持シート体に紙葉類が保持された状態において、その隙間において当該紙葉類が露出する。
【００１２】
前記押え部は、一端に前記ベースシートに取り付けられた長尺状の第一取付部を有し、当該一端と対向する位置にある他端が板材に取り付けられない自由端を形成する。
【００１３】
さらに、前記蓋押え部は、第一取付部が配された方向と直交する方向にある別の一端に、前記ベースシートに取り付けられた長尺状の第二取付部を有している。
【００１４】
このような構成とすると、一端およびこれと直行する別の一端がベースシートに取り付けられ、すなわち、これらの取付部が、略‘Ｌ’字状を呈するように形成されるから、紙葉類が保持シート体に保持された状態において、紙葉類が一の押え部から他の押え部に向かう方向及びその逆の方向の移動と、これらと直行する２方向のうち第二取付部にむかう方向の移動と、がそれぞれ第一取付部及び第二取付部により規制される。
【００１５】
前記保持シート体は、２端辺に取り付けられたそれぞれの押え部を結ぶ方向と直交する方向に併設されており、それぞれが前記表紙体に固定されている。
【００１６】
この他、二の保持シート体が一体に形成されている、換言すると、一のベースシートの略中央に折り目が設けられ、当該折り目を境界に二の保持シートが形成されても良い。
【発明の効果】
【００１７】
以上のように、本発明に係るファイルは、保管しようとする紙葉類などの被保持物を容易に保持することが可能であるので、多量の文書を保管する場合に作業効率が高く、また、紙葉類がファイルに保持された状態であっても、当該紙葉類の一面の全体ではなくその上端と下端の一部の箇所だけが押え部に覆われ、その他の箇所は外部に露出するので、当該紙葉類をファイルから取り出さない状態でそれに文字・記号や図を書き加えることが可能であり、さらに、ポケットに保持された被保持物に記載された内容がポケットの外から見えづらいという問題が生じることが無い。
【００１８】
これに加えて、本発明に係るファイルは、被保持物をファイルに保持するに際し、被保持物の両端をそれぞれに対応する位置にある取付部の自由端から第一取付部にむけて摺動させるだけでよいから、ポケットに被保持物を挿入するといった作業を要しないため、ポケットに被保持物を挿入するに際し、その開口端から底側端に向けて被保持物を押し込むことを要し、特に被保持物が柔らかい／薄い紙葉類のようなものであれば、正確に動作しないと当該紙葉類が折れ曲がってしまうことがあるという課題を有さない。
【図面の簡単な説明】
【００１９】
【図１】本発明のファイルを開いた状態の斜視図である。
【図２】保持シート体の押え部及びその近傍を拡大した図である。
【図３】保持シート体に紙葉類を保持した状態を示す図である。
【図４】保持シート体に紙葉類を保持した状態を示す図である。
【図５】保持シート体に紙葉類を保持する途上の状態を示す図である。
【図６】従来の書類入れの斜視図である。
【発明を実施するための形態】
【００２０】
以下、図面を参照しながら本発明の実施形態を説明する。なお、本明細書において、図３
において視認される上下方向を「ファイルの上下方向」とし、同様に視認される左右方向
を「ファイルの左右方向」とし、上下方向の長さを「高さ」、左右方向の長さを「幅」と
する。
【００２１】
また、図面において、後述するベースシート２１と押え部２２とに挟まれた被保持物３が押え部２２を介して視認され、表紙体１１に設けられたヒンジ１１４がベースシート２１を介して視認されるもの、すなわちベースシート２１及び押え部２２が透過性を有するもとしたが、保持シート体２は、このような構成に限られるものではない。
【００２２】
本発明のファイル１は、図１および図３において視認されるように、表紙体１１が第一表紙１１１と第二表紙１１２と第三表紙１１３とがヒンジ１１４を介して連設されて成り、さらに、第三表紙１１３の一面に保持シート体２の左右方向略中央の上端から下端に向けて溶着することにより接合されているものである。このように接合されることにより、保持シート体２の左右方向略中央の上端から下端に向けて間欠的に被固定部２３が多数形成され、第三表紙１１３の一面には固定部（図示しない）が生じるが、第三表紙１１３の一面に保持シート体２が接合されるのであれば、このような方法に限られず、保持シート体２と第三表紙１１３が一の長尺状の接着部（図示しない）を形成するように接着されてもよい。
【００２３】
なお、表紙体１１は、第一表紙１１１又は第二表紙１１２のいずれか一方を表表紙として認識し他方を裏表紙として認識するのであれば、第三表紙１１３が背表紙として認識されうる構成であるが、第三表紙１１３を有さずに、第一表紙１１１と第二表紙１１２とがヒンジ１１４を介して連設されて成り、すなわち背表紙を有さない構成であり、第一表紙１１１又は第二表紙１１２のいずれか一方の一面に保持シート体２が接着や溶着などの方法により接合されているものであってもよい。
【００２４】
図２に示すように、保持シート体２は、ベースシート２１の上下端にそれぞれ押え部２２が接着や溶着などの方法により接合されており、そのように接合されることによって、ベースシート２１の上下端と押え部２２の当該上下端と接する箇所とにそれぞれ第一取付部２２１が現出し、さらに、押え部２２の右端が第一取付部２２１が接合されるのと同様の方法によりベースシート２１に接合されており、そのように接合されることによって、押え部２２の右端とベースシート２１の当該右端と接する箇所とにそれぞれ第二取付部２２２が現出し、押え部２２の左端と下端とはベースシート２１に接合されずにそれぞれ自由端２２３を形成し、さらに、ベースシート２１は表紙体１１に接着や溶着などの方法により接合されており、そのように接合されることによって、ベースシート２１の当該接合箇所に被固定部２３が現出し、表紙体１１の当該接合箇所には、固定部（図示しない。）が形成される。
【００２５】
表紙体１１を開いた状態において、左右方向に互いに線対称の関係となる形状である２つの保持シート体２が併設されているが、この場合において、右方の保持シート体２と左方の保持シート体２とがそれぞれ表紙体１１に接合されて形成されてもよいが、図３に示すように、２つの保持シート体２は、１つのベースシート２１の左右方向略中央の上端から下端にかけて被固定部２３が現出するように接合され、被固定部２３を介した左右のそれぞれの上下端に押え部２２が接着や溶着などの方法により接合されて形成されてもよい。
【００２６】
このように形成されていることにより、左右の保持シート体２にそれぞれ被保持物３を保持することができるから、被保持物３が紙葉類であるならば、左右見開きで２枚の紙葉類を保持することができるということになる。
【００２７】
さらに、このような場合において、前記の通り左方の保持シート体２は右方の保持シート体２に対して線対称の関係となる形状であることが好ましく、その様な形状とするため、図示しないが、左方の保持シート体２は、ベースシート２１の上下端にそれぞれ押え部２２が接着や溶着などの方法により接合されており、そのように接合されることによって、ベースシート２１の上下端と押え部２２の当該上下端と接する箇所とにそれぞれ第一取付部２２１が現出し、さらに、押え部２２の左端が第一取付部２２１が接合されるのと同様の方法によりベースシート２１に接合されており、そのように接合されることによって、押え部２２の左端とベースシート２１の当該左端と接する箇所とにそれぞれ第二取付部２２２が現出するように形成される。
【００２８】
右方の保持シート体２と左方の保持シート体２とが互いに線対称の関係となる形状であると、右方の保持シート体２の押え部２２の左端と左方の保持シート体２の押え部２２の右端とがそれぞれ自由端２２３を形成するため、図４に示すように、左右の保持シート体２のそれぞれの面積を足し合わせた値に相当する面積を有する被保持物３を、当該左右の保持シート体２に跨るように保持することができるから、被保持物３が紙葉類であるならば、図３に示されたような紙葉類よりも大きい紙葉類を保持することができる。
【００２９】
また、被保持物３がファイルに保持された状態において、被保持物３の一面の全体ではなくその上端と下端の一部の箇所だけが押え部に覆われ、その他の箇所は外部に露出するので、被保持物３が紙葉類であるならば、当該紙葉類をファイルから取り出さない状態で、右手５を有する利用者は、その右手５に筆記具４を持って紙葉類の外部に露出した箇所に文字や図柄を書く／描くことが可能である。なお、ここでは右手５を有する利用者について言及したが、これは、当該利用者が左手を有し、当該左手に筆記具４を持って紙葉類の外部に露出した箇所に文字や図柄を書く／描く場合を排除するものではない。
【００３０】
図５に示すように、被保持物３を、自らの上下端の距離が、上に位置する押え部２２の自由端２２３から下に位置する押え部２２の自由端２２３までの距離よりも短くなる程度に撓ませて、当該上下端をそれぞれの自由端２２３の間に位置させて、その後に図５の矢印が示す方向に当該上下端を移動させて撓ませた状態を解除して、当該上下端が押え部２２とベースシート２１との間に潜り込むことで、被保持物３は、保持シート体２に保持される。
【００３１】
このように、図６に示す従来のファイル６に被保持物３を保持する場合においてポケット６２に被保持物３を挿入するという行程を要するのとは異なり、保持しようとする被保持物３を容易に保持することが可能である。
【００３２】
また、被保持物３がファイル６に保持された状態において、ポケット６２が、表面につや消し加工やシボ加工がされた透明な合成樹脂材により形成されるのであれば、ポケット６２に保持された被保持物３はポケットの外からは曇ったかのように視認されて被保持物３に記載された内容が見えづらく、また、表面につや消し加工やシボ加工がされておらずツヤがある透明な合成樹脂材により形成されるのであれば、ポケット６２の外から受ける光の反射が強いときに、その反射光のため、ポケット６２に保持された被保持物３に記載された内容がポケットの外から見えづらいという問題は、被保持物３がファイル１に保持された場合には生じることが無い。
【００３３】
さらに、ファイル１に被保持物３がファイルに保持された状態において、被保持物３の一面の全体ではなくその上端と下端の一部の箇所だけが押え部２２に覆われ、その他の箇所は外部に露出するので、被保持物３が紙葉類であるなら、当該紙葉類をファイル１から取り出さない状態でそれに文字・記号や図を書き加えることが可能である。
【符号の説明】
【００３４】
１  ファイル
１１  表紙体
１１１  第一表紙
１１２  第二表紙
１１３  第三表紙
１１４  ヒンジ
２  保持シート体
２１  ベースシート
２２  押え部
２２１  第一取付部
２２２  第二取付部
２２３  自由端
２３  被固定部
３  被保持物
４  筆記具
５  右手
６  従来のファイル
６１  表紙体
６２  ポケット
【図１】
2019188620.tif 000003
【図２】
2019188620.tif 000004
【図３】
2019188620.tif 000005
【図４】
2019188620.tif 000006
【図５】
2019188620.tif 000007
【図６】
2019188620.tif 000008